(57)【要約】【課題】  光磁気ディスク記録再生装置の薄型化を可能とする磁気ヘッド昇降装置を提供する。【解決手段】  磁気ヘッド昇降装置は、固定板８と、光磁気ディスク１６に近接又は接触して情報を記録する第１の位置と光磁気ディスク１６から遠ざかる第２の位置とを有する磁気ヘッド素子７と、磁気ヘッド素子７を取り付けた取付部４と、固定板８に固定された固定部５と、取付部４と固定部５との間で固定板８に斜行する板ばね部３とを含む支持材６と、リフタ９とを備え、リフタ９は支持材６の取付部４と固定部５とを結ぶ方向に沿って摺動自在に固定板８に連結された連結スライド部材１を含み、連結スライド部材１は固定板８の板ばね部３側に配置された昇降部２を有し、昇降部２は磁気ヘッド素子７が第１の位置にあるときに板ばね部３の磁気ヘッド素子７側とは反対側において板ばね部３から離れて配置される。【選択図】  図２
2005222672.tif 000002
【特許請求の範囲】
【請求項１】
円板状情報記録媒体の表面に平行な方向に設けられ、前記情報記録媒体に対向する固定板と、
前記情報記録媒体に近接又は接触して情報を記録する第１の位置と、前記情報記録媒体から遠ざかる第２の位置とを有する磁気ヘッドと、
前記磁気ヘッドを取り付けた取付部と、前記固定板の前記情報記録媒体側に固定された固定部と、前記磁気ヘッドが前記第１の位置にあるときに前記取付部と前記固定部との間で前記固定板に斜行する方向に形成される板ばね部とを含む支持材と、
前記第１の位置と前記第２の位置との間で前記磁気ヘッドを昇降させるリフタとを備えた磁気ヘッド昇降装置において、
前記リフタは、前記固定板に垂直な方向から見て、前記支持材の前記取付部と前記固定部とを結ぶ方向に沿って摺動自在に前記固定板に連結された連結スライド部材を含み、
前記連結スライド部材は、前記固定板の前記板ばね部側に配置された昇降部を有し、
前記昇降部は、前記磁気ヘッドが前記第１の位置にあるときに、前記板ばね部の前記磁気ヘッド側とは反対側において前記板ばね部から離れて配置されることを特徴とする磁気ヘッド昇降装置。
【請求項２】
前記連結スライド部材の摺動方向に沿って前記連結スライド部材を駆動する駆動部材をさらに備え、
前記駆動部材を前記固定板に設けた請求項１に記載の磁気ヘッド昇降装置。
【請求項３】
前記駆動部材は、前記固定板に固着され、前記連結スライド部材の摺動方向に振動する圧電素子を含む請求項２に記載の磁気ヘッド昇降装置。
【請求項４】
前記連結スライド部材は、前記固定板に垂直な方向から見て、前記連結スライド部材の摺動方向に垂直な方向に沿って前記第２の位置の磁気ヘッドを挟む一対の側板をさらに有する請求項１に記載の磁気ヘッド昇降装置。
【請求項５】
ベース部材に回動自在に連結され、前記情報記録媒体を収容したカートリッジが挿入されるカートリッジホルダをさらに備え、
前記固定板は、前記カートリッジホルダの回動に連動して回動自在に締結部材に連結され、
前記カートリッジホルダの回動中心が、前記固定板の回動中心と一致する請求項１に記載の磁気ヘッド昇降装置。
【請求項６】
ベース部材に回動自在に連結され、円板状情報記録媒体を収容したカートリッジが挿入されるカートリッジホルダと、
前記情報記録媒体の表面に平行な方向に設けられ、前記情報記録媒体に対向し、前記カートリッジホルダの回動に連動して回動自在に締結部材に連結された固定板と、
前記情報記録媒体に磁界を印加するための磁気ヘッドと、
前記固定板に固定され、前記磁気ヘッドを支持する支持材とを備えた磁気ヘッド昇降装置において、
前記カートリッジホルダの回動中心が、前記固定板の回動中心と一致することを特徴とする磁気ヘッド昇降装置。
【請求項７】
円板状情報記録媒体が収容されたカートリッジが挿入されるカートリッジホルダと、
前記情報記録媒体の表面に平行な方向に設けられ、前記情報記録媒体に対向する固定板と、
前記情報記録媒体に磁界を印加するための磁気ヘッドと、
前記磁気ヘッドを取り付けた取付部と、前記固定板の前記カートリッジホルダ側に固定された固定部と、前記取付部と前記固定部との間に形成される板ばね部とを含む支持材と、
前記情報記録媒体に対して前記磁気ヘッドを昇降させるリフタとを備え、
前記支持材の前記取付部と前記固定部とは、前記カートリッジが前記カートリッジホルダに挿入されるときの挿入方向に向かってこの順に配置される磁気ヘッド昇降装置において、
前記リフタは、前記固定板の前記板ばね部側に配置された昇降部を有し、
前記リフタは、前記カートリッジが挿入されると、その挿入方向に沿って摺動し、
前記昇降部は、前記カートリッジの未挿入時に、前記磁気ヘッドを前記固定板に向かって押し上げる位置に配置されることを特徴とする磁気ヘッド昇降装置。
【請求項８】
前記リフタは、前記カートリッジの挿入方向に摺動自在に前記固定板に連結され、前記昇降部を有する昇降スライド部材と、前記昇降スライド部材に係合され、前記カートリッジの挿入に連動して前記カートリッジの挿入方向に摺動する連動スライド部材とを含む請求項７に記載の磁気ヘッド昇降装置。
【請求項９】
前記カートリッジは、前記磁気ヘッド側に形成され、前記情報記録媒体に近接又は接触するために前記磁気ヘッドが通る磁気ヘッド穴と、前記磁気ヘッドの反対側に形成され、前記情報記録媒体を挟んで前記磁気ヘッドと対向する光学ヘッドから前記情報記録媒体に照射されるレーザー光が通る光学ヘッド穴との双方を有する記録再生カートリッジと、前記光学ヘッド穴のみを有する再生専用カートリッジとのいずれかであり、
前記連動スライド部材は、前記カートリッジの未挿入時に、前記固定板に垂直な方向から見て、前記磁気ヘッドに対して前記支持材の前記固定部と反対側に離れて配置される保護部材を有し、
前記連動スライド部材は、前記カートリッジホルダに摺動自在に設けられ、
前記保護部材は、撓み弾性変形して前記カートリッジホルダに付勢され、
前記保護部材は、前記再生専用カートリッジが挿入されると、前記連動スライド部材の摺動により前記再生専用カートリッジの挿入方向に移動し、前記カートリッジホルダの開口内に入り、前記カートリッジホルダの開口内に現れた前記再生専用カートリッジと前記磁気ヘッドとの間で前記磁気ヘッドに接触し、
前記保護部材は、前記記録再生カートリッジが挿入されると、前記連動スライド部材の摺動により前記記録再生カートリッジの挿入方向に移動し、前記カートリッジホルダの開口内に現れた前記記録再生カートリッジの前記磁気ヘッド穴の中に退避する請求項８に記載の磁気ヘッド昇降装置。
【請求項１０】
前記保護部材は、樹脂からなり、前記情報記録媒体側へ向かって折り曲がる折り曲げ部または前記情報記録媒体側へ向かって湾曲する湾曲部を有する請求項９に記載の磁気ヘッド昇降装置。
【請求項１１】
前記保護部材は、前記再生専用カートリッジが挿入されると前記磁気ヘッドに接触する潤滑層を含む請求項９に記載の磁気ヘッド昇降装置。
【発明の詳細な説明】
【技術分野】
【０００１】
本発明は磁気ヘッド昇降装置に関し、特に、光磁気ディスク記録再生装置に設けられる磁気ヘッド昇降装置に関する。
【背景技術】
【０００２】
光磁気ディスク記録再生装置は、回転駆動機構によって回転される光磁気ディスクの一方の面側の光磁気記録層に光ビームを集光して照射する光学ヘッドと、光学ヘッドに対向配置され、光磁気ディスクの他方の面側の光磁気記録層に外部磁界を印加する磁気ヘッドとを備える。
【０００３】
磁気ヘッドは、記録すべき情報信号に応じてその向きが変調された磁界を光磁気記録層に印加する。そして、光ビーム照射によって、キュリー温度以上に加熱されて保磁力を消失した光磁気記録層の部分が、磁気ヘッドから印加された磁界の方向に応じて磁化される。その後、キュリー温度以上に加熱された光磁気記録層の部分は、光磁気ディスクの回転による光ビームの相対移動によって、キュリー温度以下に低下し、この磁化の方向が固定されることによって情報信号が記録される。
【０００４】
光磁気ディスクは回転されるときに面振れを生じ易い。このため磁気ヘッドは、光磁気ディスクの面振れ方向に揺動可能な支持材の先端に取り付けられる。この磁気ヘッドは、光磁気ディスクと接触摺動し、または光磁気ディスクと微少な距離を保って浮上するスライダに搭載される。
【０００５】
ミニディスク（以下「ＭＤ」ともいう）に代表される光磁気ディスクは、通常、カートリッジに収容される。光磁気ディスク記録再生装置は、このカートリッジを保持するカートリッジホルダと磁気ヘッドを光磁気ディスクに対して接地または離間させる昇降部材と昇降部材を駆動する昇降駆動部とを含む磁気ヘッド昇降装置を具備する。
【０００６】
例えば特許第３３６６４４６号明細書（特許文献１）および特開２０００−８５１１１６号公報（特許文献２）には、従来の磁気ヘッド昇降装置が開示されている。
【０００７】
以下、図２６〜図３５Ｂを用いて従来の磁気ヘッド昇降装置９０を説明する。図２６は従来の磁気ヘッド昇降装置９０の斜視図である。図２７は磁気ヘッド昇降装置９０の側面図であり、図２８は磁気ヘッド昇降装置９０の光磁気ディスク未装填状態での側面断面図である。図２９は磁気ヘッド昇降装置９０の光磁気ディスク装填状態での側面断面図であり、図３０は磁気ヘッド昇降装置９０の光磁気ディスクへの記録状態での側面断面図である。
【０００８】
図２６〜図３０において、磁気ヘッドユニット５５を固定するための固定板２０７が、光学ヘッド１５を固定するための締結部材２１９にシャフト２１８を介して回動自在に設けられる。固定板２０７は、装着されるカートリッジ１７に収容された光磁気ディスク１６の半径方向（Ｘ方向）へ締結部材２１９と一体となって移動可能にベース２４１に保持される。固定板２０７はバネ２１２によって、装着される光磁気ディスク１６の方向へ付勢される。
【０００９】
ベース２４１には光磁気ディスク１６を回転させるスピンドルモータ２４２が設けられる。ベース２４１の光磁気ディスク１６の装填側にはカートリッジホルダ２２３がシャフト２２０を介して回動自在に締結部材２１９に取り付けられる。このカートリッジホルダ２２３には、ＤＣモータ及びギヤボックスを有する昇降駆動部２２９とリフト機構２２６とが設けられる。昇降駆動部２２９によってリフト機構２２６は駆動され、カートリッジホルダ２２３に対して回動する。
【００１０】
図３１は磁気ヘッドユニット５５の構成を示す側面断面図である。磁気ヘッドユニット５５は、磁気ヘッド素子７と磁気ヘッド素子７を保持する摺動体６６とを含む。摺動体６６は、摺動性の良い樹脂、例えばポリフェニレンサルファイド、液晶ポリマー等からなり、光磁気ディスク１６の表面を摺動する摺動面６７を有する。磁気ヘッド素子７は、フェライト等の軟磁性体からなるＥ型の磁気コア６３と、磁気コア６３の中心磁極に巻回したコイル６４とを有し、摺動体６６に接着固定又は樹脂一体成形などで一体に取り付けて形成される。
【００１１】
磁気ヘッドユニット５５の摺動体６６は、固定板２０７に形成された板ばね部２０６の取付部４に取り付けられる。板ばね部２０６は、例えばステンレス、リン青銅などの薄板のばね材で形成され、摺動体６６の摺動面６７を光磁気ディスク１６の表面に向かって加圧する。
【００１２】
固定板２０７は、磁気ヘッドユニット５５側（−Ｙ軸方向）へ延伸されたアーム部２２２を有する。アーム部２２２の先端は、Ｘ方向に延伸されて磁気ヘッドユニット５５の上側に配置され、磁気ヘッドユニット５５のＺ軸方向の位置を規制する。
【００１３】
図３２は従来の記録再生用光磁気ディスクのカートリッジ１７の斜視図であり、図３３Ａ、図３３Ｂは、カートリッジ１７の上面図および下面図である。
【００１４】
記録再生カートリッジ１７は、光磁気ディスク１６を収容する。記録再生カートリッジ１７は、ＡＢＳおよびポリカーボネイト等の樹脂からなるカートリッジ本体７４Ａと、鉄およびステンレス等の金属からなり開閉可能に構成されたシャッター７５Ａとを有する。記録再生カートリッジ１７には、上面に形成され、磁気ヘッドユニット５５が入るための磁気ヘッド穴１８と、下面に形成され、光磁気ディスク１６に照射される光学ヘッド１５からのレーザ光が通るための光学ヘッド穴１９とを有する。
【００１５】
図３４は従来の再生専用光磁気ディスクのカートリッジ２０の斜視図であり、図３５Ａ、図３５Ｂはカートリッジ２０の上面図および下面図である。再生専用カートリッジ２０は、光磁気ディスク１６を収容する。再生専用カートリッジ２０は、ＡＢＳおよびポリカーボネイト等の樹脂からなるカートリッジ本体７４Ｂと、鉄およびステンレス等の金属からなり開閉可能に構成されたシャッター７５Ｂとを有する。再生専用カートリッジ２０は、光学ヘッド１５と対向する下面に形成され、光磁気ディスク１６に照射される光学ヘッド１５からのレーザ光が通るための光学ヘッド穴２１を有する。
【００１６】
図２８に示すように、記録再生カートリッジ１７が磁気ヘッド昇降装置へ未装填の状態では、カートリッジホルダ２２３に設けられたリフト機構２２６が、カートリッジホルダ２２３の表面に対して傾斜した姿勢で板ばね部２０６を押し上げ、磁気ヘッドユニット５５をカートリッジホルダ２２３から持ち上げた状態となっている。
【００１７】
図２７に示すように、記録再生カートリッジ１７を装填するときは、カートリッジホルダ２２３がベース２４１に対して矢印Ｈの方向に回動して傾斜する。リフト機構２２６は、カートリッジホルダ２２３と一体に回動して傾斜するため、板ばね部２０６を押し上げ、磁気ヘッドユニット５５をカートリッジホルダ２２３から持ち上げた状態を維持している。
【００１８】
この状態で記録再生カートリッジ１７を矢印Ｌ２の方向に沿ってカートリッジホルダ２２３に挿入すると、記録再生カートリッジ１７のシャッター７５Ａがカートリッジホルダ２２３の一部に当接する。その状態でさらに記録再生カートリッジ１７をカートリッジホルダ２２３へ挿入すると、シャッター７５Ａがカートリッジ本体７４Ａに対して摺動して、記録再生カートリッジ１７の磁気ヘッド穴１８と光学ヘッド穴１９とが現れる。なお、再生専用カートリッジ２０を挿入した場合は、光学ヘッド穴２１のみが現れる。
【００１９】
そして、カートリッジホルダ２２３がベース２４１と平行な位置まで図２７の矢印Ｇの方向に回動し、カートリッジホルダ２２３に保持された記録再生カートリッジ１７に収容される光磁気ディスク１６がスピンドルモータ２４２に装填され、図２９に示すように光磁気ディスク１６が光学ヘッド１５と対向する。
【００２０】
記録再生カートリッジ１７に収容される光磁気ディスク１６に情報を記録するときは、昇降駆動部２２９のＤＣモータおよびギヤを駆動する事で、リフト機構２２６が光磁気ディスク１６側へ回動する。すると、リフト機構２２６によって押し上げられていた板ばね部２０６が下降する。
【００２１】
図３０に示すように、さらにリフト機構２２６が回動して板ばね部２０６から離れると、板ばね部２０６に取り付けられた磁気ヘッドユニット５５が光磁気ディスク１６に接触し、板ばね部２０６によって光磁気ディスク１６側へ加圧され、回転する光磁気ディスク１６の面振れに追従する。
【特許文献１】特許第３３６６４４６号明細書
【特許文献２】特開２０００−８５１１１６号公報
【発明の開示】
【発明が解決しようとする課題】
【００２２】
しかしながら、上記従来の磁気ヘッド昇降装置９０の構成では、図２８および図２９において、リフト機構２２６によって押し上げられた板ばね部２０６の先端が、固定板２０７の先端のアーム部２２２を押し上げる。このため、板ばね部２０６の先端から固定板２０７のアーム部２２２へＺ軸方向に力Ｆ９が作用し、固定板２０７が撓んで先端のアーム部２２２が持ち上がるという問題がある。このため、磁気ヘッド昇降装置の薄型化が困難であった。
【００２３】
また、磁気ヘッドユニット５５を昇降させるために回動するリフト機構２２６と、リフト機構２２６を駆動するＤＣモータとギヤとからなる昇降駆動部２２９とをカートリッジホルダ２２３に設ける必要がある。このため、磁気ヘッド昇降装置の薄型化が困難であった。
【００２４】
従って、磁気ヘッド昇降装置が設けられた光磁気ディスク記録再生装置の薄型化が困難であるという問題があった。
【００２５】
さらに、カートリッジの着脱時において、シャフト２２０の回りに回動するカートリッジホルダ２２３と締結部材２１９との当たりを防止するために、カートリッジホルダ２２３と締結部材２１９との隙間を確保する必要がある。このため、磁気ヘッド昇降装置をＹ軸方向に小型化することが困難であった。
【００２６】
本発明の第１の目的は、薄型化が可能な磁気ヘッド昇降装置を提供することにある。
【００２７】
本発明の第２の目的は、小型化が可能な磁気ヘッド昇降装置を提供することにある。
【課題を解決するための手段】
【００２８】
本発明に係る第１の磁気ヘッド昇降装置は、円板状情報記録媒体の表面に平行な方向に設けられ、前記情報記録媒体に対向する固定板と、前記情報記録媒体に近接又は接触して情報を記録する第１の位置と、前記情報記録媒体から遠ざかる第２の位置とを有する磁気ヘッドと、前記磁気ヘッドを取り付けた取付部と、前記固定板の前記情報記録媒体側に固定された固定部と、前記磁気ヘッドが前記第１の位置にあるときに前記取付部と前記固定部との間で前記固定板に斜行する方向に形成される板ばね部とを含む支持材と、前記第１の位置と前記第２の位置との間で前記磁気ヘッドを昇降させるリフタとを備えた磁気ヘッド昇降装置において、前記リフタは、前記固定板に垂直な方向から見て、前記支持材の前記取付部と前記固定部とを結ぶ方向に沿って摺動自在に前記固定板に連結された連結スライド部材を含み、前記連結スライド部材は、前記固定板の前記板ばね部側に配置された昇降部を有し、前記昇降部は、前記磁気ヘッドが前記第１の位置にあるときに、前記板ばね部の前記磁気ヘッド側とは反対側において前記板ばね部から離れて配置されることを特徴とする。
【００２９】
本発明に係る第２の磁気ヘッド昇降装置は、ベース部材に回動自在に連結され、円板状情報記録媒体を収容したカートリッジが挿入されるカートリッジホルダと、前記情報記録媒体の表面に平行な方向に設けられ、前記情報記録媒体に対向し、前記カートリッジホルダの回動に連動して回動自在に締結部材に連結された固定板と、前記情報記録媒体に磁界を印加するための磁気ヘッドと、前記固定板に固定され、前記磁気ヘッドを支持する支持材とを備えた磁気ヘッド昇降装置において、前記カートリッジホルダの回動中心が、前記固定板の回動中心と一致することを特徴とする。
【００３０】
本発明に係る第３の磁気ヘッド昇降装置は、円板状情報記録媒体が収容されたカートリッジが挿入されるカートリッジホルダと、前記情報記録媒体の表面に平行な方向に設けられ、前記情報記録媒体に対向する固定板と、前記情報記録媒体に磁界を印加するための磁気ヘッドと、前記磁気ヘッドを取り付けた取付部と、前記固定板の前記カートリッジホルダ側に固定された固定部と、前記取付部と前記固定部との間に形成される板ばね部とを含む支持材と、前記情報記録媒体に対して前記磁気ヘッドを昇降させるリフタとを備え、前記支持材の前記取付部と前記固定部とは、前記カートリッジが前記カートリッジホルダに挿入されるときの挿入方向に向かってこの順に配置される磁気ヘッド昇降装置において、前記リフタは、前記固定板の前記板ばね部側に配置された昇降部を有し、前記リフタは、前記カートリッジが挿入されると、その挿入方向に沿って摺動し、前記昇降部は、前記カートリッジの未挿入時に、前記磁気ヘッドを前記固定板に向かって押し上げる位置に配置されることを特徴とする。
【発明の効果】
【００３１】
本発明によれば、薄型化が可能な磁気ヘッド昇降装置を提供することができる。
【００３２】
また本発明によれば、小型化が可能な磁気ヘッド昇降装置を提供することができる。
【発明を実施するための最良の形態】
【００３３】
本実施の形態に係る第１の磁気ヘッド昇降装置では、情報記録媒体に近接又は接触して情報を記録又は再生する第１の位置と、情報記録媒体から遠ざかる第２の位置との間で磁気ヘッドを昇降させるリフタが、固定板に垂直な方向から見て、支持材の取付部と固定部とを結ぶ方向に沿って摺動自在に固定板に連結された連結スライド部材を含み、連結スライド部材は、固定板の板ばね部側に配置された昇降部を有し、昇降部は、磁気ヘッドが第１の位置にあるときに、板ばね部の磁気ヘッド側とは反対側において板ばね部から離れて配置される。
【００３４】
このため、磁気ヘッドが第１の位置にあるときに、固定板に垂直な方向から見て支持材の固定部から取付部に向かう第１方向に連結スライド部材が固定板を摺動すると、連結スライド部材の昇降部が板ばね部と接触する。連結スライド部材がさらに第１方向に摺動すると、昇降部と板ばね部との接触位置が第１方向に移動しながら昇降部は板ばね部に取り付けられた磁気ヘッドを押し上げ、磁気ヘッドを第２の位置へ持ち上げる。第２の位置へ持ち上げられた磁気ヘッドは、固定板に押し当てられる。
【００３５】
このような第２の位置に磁気ヘッドがあるときに、第１方向と逆の第２方向に連結スライド部材が固定板を摺動すると、昇降部と板ばね部との接触位置が第２方向に移動しながら板ばね部が下降し磁気ヘッドが第２の位置から情報記録媒体側へ近づく。連結スライド部材がさらに第２方向に摺動して昇降部が板ばね部から離れると、磁気ヘッドは第１の位置へ降りる。
【００３６】
昇降部によって固定板に押し当てられた磁気ヘッドが固定板を押し上げる力は、磁気ヘッドを押し上げる昇降部を備えた連結スライド部材から固定板に作用する逆方向の力によって相殺される。このため、磁気ヘッドが固定板を押し上げる力による固定板の持ち上がりが生じない。この結果、磁気ヘッド昇降装置を薄型化できる。
【００３７】
この実施の形態では、前記連結スライド部材の摺動方向に沿って前記連結スライド部材を駆動する駆動部材をさらに備え、前記駆動部材を前記固定板に設けることが好ましい。連結スライド部材を駆動する昇降駆動部を、情報記録媒体のカートリッジを保持するカートリッジホルダに設ける必要がないので、部品点数を削減できる。
【００３８】
前記駆動部材は、前記固定板に固着され、前記連結スライド部材の摺動方向に振動する圧電素子を含むことが好ましい。圧電素子は、ギアによる駆動機構よりも薄いので、磁気ヘッド昇降装置をさらに薄型化することができる。また、部品点数を一層削減できる。
【００３９】
前記連結スライド部材は、前記固定板に垂直な方向から見て、前記連結スライド部材の摺動方向に垂直な方向に沿って前記第２の位置の磁気ヘッドを挟む一対の側板をさらに有することが好ましい。磁気ヘッド昇降装置の落下等による大きな衝撃が加わっても、磁気ヘッドを挟む側壁が磁気ヘッドを位置規制するので磁気ヘッドが大きく移動しない。このため、磁気ヘッドを支持する支持材が衝撃によって破壊することを防止できる。
【００４０】
ベース部材に回動自在に連結され、前記情報記録媒体を収容したカートリッジが挿入されるカートリッジホルダをさらに備え、前記固定板は、前記カートリッジホルダの回動に連動して回動自在に締結部材に連結され、前記カートリッジホルダの回動中心が、前記固定板の回動中心と一致することが好ましい。
【００４１】
カートリッジホルダの回動中心が固定板の回動中心と一致するので、カートリッジホルダと固定板とが連動して回動する間、カートリッジホルダと固定板との隙間が常に一定になる。このため、カートリッジホルダの回動中心が固定板の回動中心と一致しないために、カートリッジホルダと固定板とが連動して回動する間、カートリッジホルダと固定板との隙間が変化する構成に比べて、固定板をカートリッジホルダに近接して配置できる。従って、磁気ヘッド昇降装置を小型化することができる。
【００４２】
本実施の形態に係る第２の磁気ヘッド昇降装置では、カートリッジホルダの回動中心が、固定板の回動中心と一致する。このため、カートリッジホルダと固定板とが連動して回動する間、カートリッジホルダと固定板との隙間が常に一定になる。従って、カートリッジホルダの回動中心が固定板の回動中心と一致しないために、カートリッジホルダと固定板とが連動して回動する間、カートリッジホルダと固定板との隙間が変化する構成に比べて、固定板をカートリッジホルダに近接して配置できる。その結果、磁気ヘッド昇降装置を小型化することができる。
【００４３】
本実施の形態に係る第３の磁気ヘッド昇降装置では、カートリッジが挿入されると、その挿入方向に沿ってリフタが摺動する。このため、カートリッジの未挿入時に、磁気ヘッドを押し上げる位置に配置されていた昇降部は、カートリッジの挿入方向に移動して板ばね部と接触し、昇降部と板ばね部との接触位置がカートリッジの挿入方向に移動する。昇降部が板ばね部から離れると、板ばね部が下降するため、磁気ヘッドは、挿入されたカートリッジに収容された情報記録媒体側へ近づく。このようにカートリッジの挿入に連動してリフタが摺動するので、リフタを摺動させるためのＤＣモータとギアとで構成された昇降駆動部が不要となる。その結果、磁気ヘッド昇降装置を薄型化することができる。
【００４４】
この実施の形態では、前記リフタは、前記カートリッジの挿入方向に摺動自在に前記固定板に連結され、前記昇降部を有する昇降スライド部材と、前記昇降スライド部材に係合され、前記カートリッジの挿入に連動して前記カートリッジの挿入方向に摺動する連動スライド部材とを含むことが好ましい。カートリッジの未挿入時に、昇降部によって押し上げられた磁気ヘッドから固定板に作用する力が、磁気ヘッドを押し上げる昇降部を備えた昇降スライド部材から固定板に作用する逆方向の力によって相殺されるので、磁気ヘッドから固定板に作用する力による固定板の浮き上がりおよび反り上がりが生じない。このため、磁気ヘッド昇降装置を一層薄型化できる。
【００４５】
前記カートリッジは、前記磁気ヘッド側に形成され、前記情報記録媒体に近接又は接触するために前記磁気ヘッドが通る磁気ヘッド穴と、前記磁気ヘッドの反対側に形成され、前記情報記録媒体を挟んで前記磁気ヘッドと対向する光学ヘッドから前記情報記録媒体に照射されるレーザー光が通る光学ヘッド穴との双方を有する記録再生カートリッジと、前記光学ヘッド穴のみを有する再生専用カートリッジとのいずれかであり、前記連動スライド部材は、前記カートリッジの未挿入時に、前記固定板に垂直な方向から見て、前記磁気ヘッドに対して前記支持材の前記固定部と反対方向側に離れて配置される保護部材を有し、前記連動スライド部材は、前記カートリッジホルダに摺動自在に設けられ、前記保護部材は、撓み弾性変形して前記カートリッジホルダに付勢され、前記保護部材は、前記再生専用カートリッジが挿入されると、前記連動スライド部材の摺動により前記再生専用カートリッジの挿入方向に移動し、前記カートリッジホルダの開口内に入り、前記カートリッジホルダの開口内に現れた前記再生専用カートリッジと前記磁気ヘッドとの間で前記磁気ヘッドに接触し、前記保護部材は、前記記録再生カートリッジが挿入されると、前記連動スライド部材の摺動により前記記録再生カートリッジの挿入方向に移動し、前記カートリッジホルダの開口内に現れた前記記録再生カートリッジの前記磁気ヘッド穴の中に退避することが好ましい。
【００４６】
再生カートリッジが挿入されたときに、再生カートリッジの磁気ヘッドと対向する面と磁気ヘッドとの接触が、磁気ヘッドと再生カートリッジとの間で磁気ヘッドに接触する保護部材によって防止される。このため、磁気ヘッドが再生カートリッジと接触することによる磁気ヘッドの摺動磨耗および汚れが低減されるので、磁気ヘッドの信頼性が向上する。
【００４７】
前記保護部材は、樹脂からなり、前記情報記録媒体側へ向かって折り曲がる折り曲げ部または前記情報記録媒体側へ向かって湾曲する湾曲部を有することが好ましい。保護部材に摺動接触する磁気ヘッドを傷つけることがないので、磁気ヘッドの信頼性が一層向上する。
【００４８】
前記保護部材は、前記再生専用カートリッジが挿入されると前記磁気ヘッドに接触する潤滑層を含むことが好ましい。潤滑層と磁気ヘッドとの間で摩擦力が一層減少するので、磁気ヘッドの信頼性がさらに向上する。
【００４９】
以下、図面を参照して本発明の実施の形態を説明する。なお、図２６〜図３５Ｂに示した従来技術の構成要素と同じ機能を有する構成要素には同じ符号を付記しその詳細な説明は省略する。
【００５０】
（実施の形態１）
図１Ａは実施の形態１における磁気ヘッド昇降装置１００の斜視図である。図１Ｂは、磁気ヘッド昇降装置１００の固定板８および、これに取り付けられた構成要素の斜視図である。図１Ｃは、磁気ヘッド昇降装置１００の板ばね部３に取り付けられた磁気ヘッドユニット５５の断面図である。図２は磁気ヘッド昇降装置１００の磁気ヘッド素子７が光磁気ディスク１６に近接又は接触して情報を記録又は再生する第１の位置にあるときの側面断面図であり、図３は磁気ヘッド素子７が光磁気ディスク１６から遠ざかる第２の位置にあるときの側面断面図であり、図４は磁気ヘッド昇降装置１００のカートリッジホルダ１４に、光磁気ディスク１６を収容した記録再生カートリッジ１７を着脱するときの側面図である。
【００５１】
図１Ａ〜図４を参照すると、磁気ヘッド昇降装置１００は、カートリッジホルダ１４を備える。カートリッジホルダ１４には、光磁気ディスク１６を収容した記録再生カートリッジ１７が挿入される。カートリッジホルダ１４は、図示しないベース部材に連結され、回動中心Ｃ１の周りに回動自在に設けられる。
【００５２】
磁気ヘッド昇降装置１００には、光磁気ディスク１６の情報トラックに直交する方向に移動可能に設けられ、光磁気ディスク１６に対向する固定板８が設けられる。固定板８は、締結部材１０にシャフト６８を介して回動自在に取り付けられ、ばね６２によって光磁気ディスク１６の方向へ付勢される。図示しないベース部材にはメインシャフト１５Ａが固定され、メインシャフト１５Ａには光学ヘッド１５が取り付けられ、締結部材１０が光学ヘッド１５に取り付けられるので、光学ヘッド１５、締結部材１０および固定板８は、一体となり光磁気ディスク１６の半径方向に移動可能である。固定板８は、例えば鉄、ステンレス等の金属板からなり、板厚は０．２ｍｍから０．７ｍｍである。固定板８には、Ｙ軸方向マイナス側へ延伸されたガイド部４６が形成される。ガイド部４６は、カートリッジホルダ１４の突起部４８に当接する。
【００５３】
図１Ｃに示すように、磁気ヘッドユニット５５は、磁気ヘッド素子７と磁気ヘッド素子７を保持する摺動体６６とを含む。摺動体６６は、摺動性の良い樹脂、例えばポリフェニレンサルファイド、液晶ポリマー等からなり、光磁気ディスク１６の表面を摺動する摺動面６７を有する。磁気ヘッド素子７は、フェライト等の軟磁性体からなるＥ型の磁気コア６３と、磁気コア６３の中心磁極に巻回したコイル６４とを有し、摺動体６６に接着固定又は樹脂一体成形などで一体に取り付けて形成される。
【００５４】
磁気ヘッド昇降装置１００は、例えばステンレス、リン青銅等の薄板のばね材で形成された支持材６を備える。支持材６の取付部４には、磁気ヘッドユニット５５の摺動体６６が取り付けられる。
【００５５】
磁気ヘッドユニット５５の磁気ヘッド素子７は、光磁気ディスク１６に近接又は接触して情報を記録又は再生する図２に示す第１の位置と、光磁気ディスク１６から遠ざかる図３に示す第２の位置とを有する。
【００５６】
支持材６の固定部５は、固定板８の光磁気ディスク１６側に固定される。支持材６は、磁気ヘッド素子７が第１の位置にあるときに固定板８に斜行する方向に形成される板ばね部３を含む。板ばね部３は、光磁気ディスク１６の面振れに追従し、且つ光磁気ディスク１６への記録を行う位置である第１の位置で、磁気ヘッドユニット５５に光磁気ディスク１６へ向かう方向へ荷重を与え、光磁気ディスク１６の表面形状に追従する。
【００５７】
磁気ヘッド昇降装置１００は、第１の位置と第２の位置との間で磁気ヘッド素子７を昇降させるリフタ９を備える。リフタ９は、鉄、ステンレス等の金属板からなり、板厚は０．１ｍｍから０．７ｍｍ程度である。
【００５８】
リフタ９は、固定板８に垂直な方向から見て、支持材６の取付部４と固定部５とを結ぶ固定板８の長手方向に沿って摺動自在に、固定板８に折り曲げて連結された連結スライド部材１を含む。連結スライド部材１は、固定板８の板ばね部３側に配置された昇降部２を有する。昇降部２は、磁気ヘッド素子７が図２に示す第１の位置にあるときに、板ばね部３の磁気ヘッド素子７側とは反対側において板ばね部３から離れて配置される。
【００５９】
連結スライド部材１は、フック部４３及び押圧部４７を有する。フック部４３は、光磁気ディスク１６の半径方向に形成された長穴を有するスライド機構４４に係止される。スライド機構４４は、連結スライド部材１の摺動方向にスライド自在にカートリッジホルダ１４に設けられ、カートリッジホルダ１４に取り付けられたモータ、ギア等から構成される昇降駆動部２９によって駆動される。連結スライド部材１は、押圧部４７によってＺ軸方向に固定板８を押圧した状態で固定板８に取り付けられる。
【００６０】
次に、磁気ヘッドユニット５５を第１の位置から第２の位置へ移動する磁気ヘッド昇降動作を説明する。
【００６１】
磁気ヘッドユニット５５の第１の位置（記録位置）の状態、すなわち図２に示すごとく摺動体６６の摺動面６７が光磁気ディスク１６と接触摺動する状態では、板ばね部３が磁気ヘッドユニット５５に光磁気ディスク１６へ接触する方向に荷重を与え、光磁気ディスク１６の面振れや表面形状の変化に応じて変位することによって、光磁気ディスク１６の面振れや表面形状の変化に摺動体６６が追従し常に接触摺動する。この時、連結スライド部材１は、昇降部２が板ばね部３と接触しないように、板ばね部３の磁気ヘッドユニット５５の反対側へ退避している。
【００６２】
磁気ヘッドユニット５５の第１の位置（記録位置）から第２の位置（再生位置）への移動では、昇降駆動部２９によってスライド機構４４が図１および図２に示す矢印Ｂの方向にスライド移動する。このとき、フック部４３がスライド機構４４に係止されているので、連結スライド部材１はスライド機構４４の移動に応じて磁気ヘッドユニット５５側へ移動する。そして、昇降部２は板ばね３と当接する。さらに連結スライド部材１が磁気ヘッドユニット５５側へ移動すると、昇降部２と板ばね部３との接触点が磁気ヘッドユニット５５側へ移動しながら、昇降部２は装填した光磁気ディスク１６から離間する方向（図２および図３では上昇する方向）の力を板ばね部３へ付与する。このとき、力を付与された板ばね部３は撓み弾性変形し、これにより磁気ヘッドユニット５５は上昇する。そして、さらに連結スライド部材１が磁気ヘッドユニット５５側へ移動すると、昇降部２は摺動体６６に当接し、摺動体６６を持ち上げる。このため、摺動体６６に保持された磁気ヘッド素子７が固定板８のガイド部４６に押し当てられ図３に示す第２の位置に至る。
【００６３】
磁気ヘッド素子７を固定板８のガイド部４６に押し当てる事で、固定板８のガイド部４６には磁気ヘッド素子７から、光磁気ディスク１６から離間する方向の力Ｆ１が作用するが、摺動体６６を持ち上げる昇降部２を有する連結スライド部材１から、光磁気ディスク１６に近づく方向の力Ｆ２が固定板８のガイド部４６に作用する。このため、磁気ヘッド素子７からのＺ軸プラス方向の力Ｆ１と連結スライド部材１からのＺ軸マイナス方向の力Ｆ２とが相殺される。従って、締結部材１０に対して固定板８がＺ軸方向プラス側へ持ち上がらない。
【００６４】
図４に示すように、カートリッジホルダ１４が回動中心Ｃ１を中心に矢印Ｇの方向に回動すると、カートリッジホルダ１４に設けた突起部４８にガイド部４６が当接する固定板８がシャフト６８を中心に回動し、カートリッジの着脱を行う。
【００６５】
以上のように実施の形態１の磁気ヘッド昇降装置によれば、連結スライド部材１が固定板８に連結されているため、固定板８に押し当てられた第２の位置の磁気ヘッド素子７からの力の影響を固体板８は受けず、Ｚ軸方向プラス側へ持ち上げられない。このため、磁気ヘッド昇降装置を薄型にできる。
【００６６】
（実施の形態２）
図５は実施の形態２における磁気ヘッド昇降装置１００Ａの斜視図であり、図６は磁気ヘッド昇降装置１００Ａの要部斜視図である。実施の形態１で前述した構成要素と同一の構成要素には同一の参照符号を付し、詳細な説明は省略する。実施の形態２の磁気ヘッド昇降装置１００Ａは、固定板８にギア付きモータ６２を搭載した事を特徴とする。
【００６７】
磁気ヘッド昇降装置１００Ａは、リフタ９Ａを備え、リフタ９Ａは連結スライド部材１Ａを含む。連結スライド部材１Ａは、ギア付きモータ６２の方向（Ｙ軸方向プラス側）へ延伸され、ギア付きモータ６２のギアと噛み合うギア部６１を有する。
【００６８】
次に磁気ヘッド昇降装置１００Ａの動作を説明する。磁気ヘッドユニット５５の第１の位置（記録位置）から第２の位置（再生位置）への移動では、ギア付きモータ６２が回転してギア部６１を有する連結スライド部材１Ａを板ばね部３側へ摺動させ、実施の形態１と同様に、光磁気ディスクから遠ざかる第２の位置へ磁気ヘッドユニット５５を持ち上げる。カートリッジの着脱の動作は実施の形態１と同様であり、ここでの説明は省略する。
【００６９】
以上のように実施の形態２の磁気ヘッド昇降装置１００Ａによれば、固定板８にギア付きモータ６２を搭載し、連結スライド部材１Ａのギア部６１と連結するので、カートリッジホルダ１４にリフタを駆動する駆動機構が不要となる。このため、実施の形態１の効果に加え部品点数を削減できる。
【００７０】
（実施の形態３）
図７は実施の形態３における磁気ヘッド昇降装置の要部斜視図である。実施の形態１で前述した構成要素と同一の構成要素には同一の参照符号を付し、詳細な説明は省略する。
【００７１】
実施の形態３の磁気ヘッド昇降装置は、連結スライド部材１の摺動方向に振動する圧電素子１１を固定板８に設けた事を特徴とする。圧電素子１１は、連結スライド部材１のガイド部４６と反対側で固定板８に接着固定されている。なお、かしめ、溶接、またはネジにより圧電素子１１を固定板８に固着してもよい。
【００７２】
次に磁気ヘッド昇降装置の動作を説明する。磁気ヘッドユニット５５の第１の位置（記録位置）から第２の位置（再生位置）への移動では、図示しない電源から圧電素子１１に電力が供給されると、圧電素子１１が連結スライド部材１の摺動方向に振動する。このとき電源より圧電素子１１に与えられる電圧（電流）のデューティーを所望の値にすることにより、磁気ヘッドユニット５５に近づく方向または遠ざかる方向へ連結スライド部材１を移動させることができる。例えば、デューティーが９：１〜６：４であれば、磁気ヘッドユニット５５に近づく方向に連結スライド部材１を移動させることができ、デューティーが１：９〜４：６であれば、磁気ヘッドユニット５５から遠ざかる方向に移動させることができる。
【００７３】
圧電素子１１の振動によって連結スライド部材１が磁気ヘッドユニット５５側へ移動し、実施の形態１と同様に、光磁気ディスク１６から遠ざかる第２の位置へ昇降部２が磁気ヘッドユニット５５を持ち上げる。
【００７４】
図８は、実施の形態３における他の磁気ヘッド昇降装置の要部斜視図である。図８に示すように、圧電素子１１の替わりに固定板８の側面に超音波振動素子８１を接着固定し、磁気ヘッドユニット５５の第１の位置（記録位置）から第２の位置（再生位置）への移動で、超音波振動素子８１を振動させても同様な効果が得られる。
【００７５】
（実施の形態４）
図９は実施の形態４における磁気ヘッド昇降装置の磁気ヘッドユニット５５が第１の位置にあるときの要部斜視図であり、図１０は実施の形態４における磁気ヘッド昇降装置の磁気ヘッドユニット５５が第２の位置にあるときの要部側面断面図である。実施の形態１〜３で前述した構成要素と同一の構成要素には同一の参照符号を付し、詳細な説明は省略する。
【００７６】
実施の形態４の磁気ヘッド昇降装置は、連結スライド部材が、固定板に垂直な方向から見て、連結スライド部材の摺動方向に垂直な方向に沿って第２の位置の磁気ヘッドを挟む一対の側板を有することを特徴とする。
【００７７】
磁気ヘッド昇降装置はリフタ９Ｂを備え、リフタ９Ｂは連結スライド部材１Ｂを有する。連結スライド部材１Ｂは、固定板８に垂直な方向から見て、連結スライド部材１Ｂの摺動方向に垂直な方向に沿って互いに対峙するように折り曲げて形成された一対の側板１２を有する。
【００７８】
固定板８には圧電素子１１が接着固定されており、この圧電素子１１に図示しない電源から電力が供給されると、連結スライド部材１Ｂの摺動方向に圧電素子１１が振動し、連結スライド部材１Ｂが固定板８の長手方向に摺動する。このとき電源より与えられる電圧（電流）のデューティーを所望の値にすることにより連結スライド部材１Ｂを磁気ヘッドユニット５５に近づく方向（または遠ざかる方向）へ摺動させることができる。
【００７９】
第２の位置（再生位置）では図１０に示すように、磁気ヘッドユニット５５と光磁気ディスク１６との間に連結スライド部材１Ｂの昇降部２が入り、一対の側板１２は光磁気ディスク１６の半径方向に対峙して磁気ヘッドユニット５５を挟む。第１の位置から第２の位置への動作は実施の形態３と同様であり、ここでの説明は省略する。
【００８０】
ポータブル機器では使用中の落下等により機器に１００００ｍ／ｓｅｃ2から４００００ｍ／ｓｅｃ2の衝撃が加わる。磁気ヘッドユニット５５を取り付けた板ばね部３は厚さ０．０３ｍｍから０．０６ｍｍ程度と非常に薄いため、磁気ヘッドユニット５５の重量は、磁気ヘッドユニット５５を支持する板ばね部３の重量よりもはるかに重い。このため、磁気ヘッドユニット５５が衝撃により大きく移動すると板ばね部３を破損しやすい。磁気ヘッドユニット５５は記録時以外は第２の位置にあるため、第２の位置で衝撃が加わるおそれが非常に高い。
【００８１】
実施の形態４では、側板１２が光磁気ディスク１６の半径方向（光磁気ディスク１６の情報トラックと直交する方向、つまり図９のＸ軸方向）に磁気ヘッドユニット５５を位置規制する位置規制手段となるので、昇降部２とガイド部４６による上下方向の位置規制のみならず、光磁気ディスク１６の半径方向にも磁気ヘッドユニット５５を位置規制できる。従って、磁気ヘッドユニット５
５を支持する板ばね部３が衝撃などにより破損する事が無くなる。
【００８２】
以上のように実施の形態４の磁気ヘッド昇降装置によれば、第２の位置での大きな衝撃に対しても板ばね部３を破損する事が無くなり、実施の形態１の効果に加え機器の信頼性が向上する。
【００８３】
（実施の形態５）
図１１は実施の形態５における磁気ヘッド昇降装置１００Ｃの斜視図であり、図１２は磁気ヘッド昇降装置１００Ｃの第２の位置（再生位置）での側面図であり、図１３は磁気ヘッド昇降装置１００Ｃの光磁気ディスクを着脱する位置での側面図である。実施の形態１〜４で前述した構成要素と同一の構成要素には同一の参照符号を付し、詳細な説明は省略する。
【００８４】
実施の形態５の磁気ヘッド昇降装置は、カートリッジホルダ１４が図示しないベース部材に回動自在に連結され、カートリッジホルダ１４の回動軸と固定板８Ｃの回動軸とが一致する事を特徴とする。
【００８５】
リフタ９Ｂを摺動自在に保持する固定板８Ｃは、カートリッジホルダ１４に挿入された記録再生カートリッジ１７の挿入方向側の側面１７Ａに対向して折り曲げて延伸される対向板１３を有し、締結部材１０Ａに取り付けられたシャフト１０３の回りに回動自在に取り付けられる。光学ヘッド１５は、図示しないベース部材に固定されたメインシャフト１５Ａに取り付けられ、光磁気ディスク１６の半径方向に移動可能となっている。締結部材１０Ａは、光学ヘッド１５に固定されており、光学ヘッド１５、締結部材１０Ａおよび固定板８Ｃは一体となり光磁気ディスク１６の半径方向に移動可能となっている。カートリッジホルダ１４は、図示しないベース部材に回動自在に連結されており、カートリッジホルダ１４の回動中心Ｃ１は、固定板８Ｃの回動中心軸（シャフト１０３の中心軸）と一致する。
【００８６】
カートリッジを着脱するときは、カートリッジホルダ１４は回動中心Ｃ１の周りに矢印Ｇの方向に回動する。カートリッジホルダ１４の突起部４８にガイド部４６が当接する固定板８Ｃは、カートリッジホルダ１４の回動に連動してシャフト１０３の周りに矢印Ｇの方向に回動する。そして、カートリッジホルダ１４にカートリッジを着脱する。
【００８７】
このように、カートリッジホルダ１４の回動中心と固定板８Ｃの回動中心とは、ともに締結部材１０Ａに設けられたシャフト１０３であり、一致している。このため、カートリッジホルダ１４の回動に連動して固定板８Ｃが回動する間、カートリッジホルダ１４に挿入されたカートリッジ１７の側面１７Ａと固定板８Ｃの対向板１３との隙間Ｄが常に一定である。よって、対向板１３をカートリッジ１７の側面１７Ａに近接して配置することができる。その結果、磁気ヘッド昇降装置をＹ軸方向に小型化できる。
【００８８】
以上のように、実施の形態５の磁気ヘッド昇降装置によれば、固定板８Ｃの締結部材１０Ａに対する回動中心とカートリッジホルダ１４の締結部材１０Ａに対する回動中心とを一致させたので、対向板１３をカートリッジ１７の側面１７Ａに近接して配置でき、実施の形態１から実施の形態４の効果に加え磁気ヘッド昇降装置を小型化できる。
【００８９】
（実施の形態６）
図１４Ａは実施の形態６における磁気ヘッド昇降装置１００Ｄの記録再生カートリッジ未挿入状態における斜視図であり、図１４Ｂは磁気ヘッド昇降装置１００Ｄの固定板８Ｄおよび、これに取り付けられた構成要素の部分斜視図である。図１５は磁気ヘッド昇降装置１００Ｄの記録再生カートリッジ１７を挿入する途中の斜視図である。図１６は磁気ヘッド昇降装置１００Ｄの記録再生カートリッジ１７を挿入した時の斜視図であり、図１７は磁気ヘッド昇降装置１００Ｄの再生専用カートリッジ２０を挿入した時の斜視図である。実施の形態１〜５で前述した構成要素と同一の構成要素には同一の参照符号を付し、詳細な説明は省略する。
【００９０】
磁気ヘッド昇降装置１００Ｄは、カートリッジホルダ１４を備える。カートリッジホルダ１４には、光磁気ディスク１６が収容された記録再生カートリッジ１７または再生専用カートリッジ２０が挿入される。
【００９１】
磁気ヘッド昇降装置１００Ｄには、固定板８Ｄが設けられる。固定板８Ｄは、光磁気ディスク１６の情報トラックに直交する方向に移動可能に設けられ、光磁気ディスク１６に対向する。固定板８Ｄは、締結部材１０Ａに設けられたシャフト１０３の周りに回動自在に設けられ、ばね１２により光磁気ディスク１６側に付勢される。固定板８Ｄの先端には、一対のガイド部５６が形成される。
【００９２】
磁気ヘッド昇降装置１００Ｄは、光磁気ディスク１６に磁界を印加するための磁気ヘッド素子を備えた磁気ヘッドユニット５５と磁気ヘッドユニット５５を支持する支持材６とを備える。
【００９３】
支持材６は、磁気ヘッドユニット５５を取り付けた取付部４と、固定板８Ｄのカートリッジホルダ１４側に固定された固定部５と、取付部４と固定部５との間に形成される板ばね部３とを含む。支持材６の取付部４と固定部５とは、固定板８Ｄに垂直な方向から見て、カートリッジがカートリッジホルダ１４に挿入されるときの挿入方向に向かってこの順に配置される。
【００９４】
磁気ヘッド昇降装置１００Ｄは、リフト機構３０を備える。リフト機構３０は、固定板８Ｄの板ばね部３側に配置された昇降部２３を有する。昇降部２３は、図１４Ａに示すカートリッジの未挿入時に、磁気ヘッドユニット５５を固定板８Ｄに向かって押し上げる位置に配置される。リフト機構３０は、鉄、ステンレスなどの金属板からなり、板厚は０．１ｍｍから０．７ｍｍである。
【００９５】
リフト機構３０は、板金加工で形成されたカートリッジ当接部１２７を有する。カートリッジ当接部１２７は、カートリッジホルダ１４の側面に形成された切り欠きから、カートリッジ１７の挿入領域に突出して形成される。
【００９６】
カートリッジホルダ１４の側面には、リフトばね１２８が設けられる。リフトばね１２８の一端はカートリッジホルダ１４に固定され、他端はリフト機構３０に固定される。リフトばね１２８は、リフト機構３０をＹ方向マイナス側へ付勢する。
【００９７】
光学ヘッド１５は、光磁気ディスク１６を挟んで磁気ヘッドユニット５５と対峙して配され、Ｘ方向へ移動可能にベース４１に取り付けられている。ベース４１にはスピンドルモータ４２が取り付けられ、挿入された光磁気ディスクの回転操作を行う。カートリッジホルダ１４はベース４１に回動自在に取り付けられる。
【００９８】
ＭＤに代表される光磁気ディスクは、前述したように、図３２、図３３Ａおよび図３３Ｂに示す記録再生カートリッジ１７と、図３４、図３５Ａおよび図３５Ｂに示す再生専用カートリッジ２０とがある。
【００９９】
次に磁気ヘッド昇降装置１００Ｄの動作を説明する。
【０１００】
光磁気ディスクの未挿入状態では、図１４Ａに示すように、昇降部２３が磁気ヘッドユニット５５をＺ軸方向プラス側へ持ち上げる。
【０１０１】
記録再生カートリッジ１７を挿入するときは、図１５に示すようにカートリッジホルダ１４をベース４１に対して傾斜させ、記録再生カートリッジ１７を挿入する。すると記録再生カートリッジ１７の挿入側の側面が、カートリッジ当接部１２７を押す。カートリッジ当接部１２７は、カートリッジの挿入力によってカートリッジの挿入方向に移動する。従って、カートリッジ当接部１２７を備えたリフト機構３０は、カートリッジの挿入方向に摺動し、カートリッジホルダ１４の側面を切り欠いて形成されたフック部１２９で係止される。
【０１０２】
記録再生カートリッジ１７のシャッター７５Ａはカートリッジホルダ１４に係止され、記録再生用カートリッジ１７の挿入操作によってシャッター７５Ａは開く。磁気ヘッド穴１８と光学ヘッド穴１９とが現れる。
【０１０３】
記録再生カートリッジ１７が挿入された状態では、図１６に示すように、フック部１２９に係止されたリフト機構３０の昇降部２３は、板ばね部３から完全に離間する。磁気ヘッドユニット５５は磁気ヘッド穴１８に入り、光磁気ディスク１６へ板ばね部３で押し当てられ接触摺動する。
【０１０４】
光学ヘッド１５から発せられるレーザ光は、光学ヘッド穴１９を介して光磁気ディスク１６に照射され、磁気ヘッド素子７からの変調磁界と連動し、スピンドルモータ４２によって回転される光磁気ディスク１６に情報が記録される。
【０１０５】
再生専用カートリッジ２０が挿入されたときは、図１７に示すように、再生専用カートリッジ２０は磁気ヘッド穴１８を有さないため、磁気ヘッドユニット５５は再生専用カートリッジ２０に当接する。
【０１０６】
記録再生カートリッジ１７又は再生専用カートリッジ２０をカートリッジホルダ１４から取り出すときは、カートリッジホルダ１４をベース４１に対して回動させて傾斜させると、ベース４１に固定されたＬ字型の金属部品であるロック解除板１３０によって、フック部１２９がベース４１側へ押し下げられて、フック部１２９がリフト機構３０からはずれる。このため、リフト機構３０はリフトばね１２８でＹ方向マイナス側へ引っ張られ移動する。リフト機構３０の昇降部２３は、板ばね部３に当接し、Ｚ軸方向プラス側へ押し上げ、板ばね部３をたわみ弾性変形させ、さらに磁気ヘッドユニット５５に当接し、磁気ヘッドユニット５５を持ち上げる。記録再生カートリッジ１７又は再生専用カートリッジ２０と当接するリフト機構３０のカートリッジ当接部１２７は、カートリッジを押し出し排出する。
【０１０７】
以上のように、実施の形態６の磁気ヘッド昇降装置によれば、カートリッジが挿入されると、その挿入方向に沿ってリフト機構３０が摺動する。このため、カートリッジの未挿入時に、磁気ヘッドユニット５５を押し上げる位置に配置されていた昇降部２３は、カートリッジの挿入方向に移動して板ばね部３と接触し、昇降部２３と板ばね部３との接触位置がカートリッジの挿入方向に移動する。昇降部２３が板ばね部３から離れると、板ばね部３が下降するため、磁気ヘッドユニット５５は、挿入されたカートリッジに収容された光磁気ディスク側へ近づく。このようにカートリッジの挿入に連動してリフト機構３０が摺動するので、リフト機構３０を摺動させるためのＤＣモータとギアとで構成された昇降駆動部が不要となる。その結果、磁気ヘッド昇降装置を薄型化することができる。
【０１０８】
（実施の形態７）
図１８は実施の形態７における磁気ヘッド昇降装置１００Ｅのカートリッジ未挿入状態における斜視図であり、図１９は磁気ヘッド昇降装置１００Ｅの記録再生カートリッジ１７を挿入した時の斜視図であり、図２０は磁気ヘッド昇降装置１００Ｅの再生専用カートリッジを挿入した時の斜視図であり、図２１は磁気ヘッド昇降装置１００Ｅの要部斜視図である。実施の形態１〜６で前述した構成要素と同一の構成要素には同一の参照符号を付し、詳細な説明は省略する。
【０１０９】
実施の形態７の磁気ヘッド昇降装置１００Ｅは、リフト機構３０Ｅを備え、リフト機構３０Ｅが、カートリッジの挿入方向に摺動自在に固定板８Ｄに連結され、昇降部２３Ｅを有する昇降スライド部材２２Ｅと、昇降スライド部材２２Ｅに係合され、カートリッジの挿入に連動してカートリッジの挿入方向に摺動する連動スライド部材２４とを含むことを特徴とする。
【０１１０】
連動スライド部材２４は、Ｘ軸方向に形成された長穴であるラジアルスライド穴６６を有する。昇降スライド部材２２Ｅは、ラジアルスライド穴６６にＸ軸方向に摺動自在に係合されたフック部６３を有する。昇降スライド部材２２Ｅは、鉄、ステンレスなどの金属板又は樹脂からなり、厚さは０．１ｍｍから０．７ｍｍである。
【０１１１】
次に磁気ヘッド昇降装置１００Ｅの動作を説明する。
【０１１２】
カートリッジの未挿入状態では、図１８に示すように、昇降スライド部材２２Ｅの昇降部２３Ｅが磁気ヘッドユニット５５をＺ方向プラス側へ持ち上げている。
【０１１３】
図１９を参照すると、記録再生カートリッジ１７を挿入すると、連動スライド部材２４が記録再生カートリッジ１７の挿入に連動してカートリッジの挿入方向に摺動する。連動スライド部材２４のラジアルスライド穴６６に係合されたフック部６３を有する昇降スライド部材２２Ｅは、連動スライド部材２４の摺動に連動して記録再生カートリッジ１７の挿入方向に摺動する。このため、昇降スライド部材２２Ｅの昇降部２３Ｅが磁気ヘッドユニット５５および板ばね部３から離間するので、磁気ヘッドユニット５５は記録再生カートリッジ１７の磁気ヘッド穴１８を通って光磁気ディスク１６へ板ばね部３によって押し当てられる。
【０１１４】
図２０に示すように、再生専用カートリッジ２０を挿入すると、記録再生カートリッジ１７を挿入したときと同様に、昇降部２３Ｅが磁気ヘッドユニット５５および板ばね部３から離間する。再生専用カートリッジ２０には、磁気ヘッド穴１８が形成されていないので、磁気ヘッドユニット５５は再生専用カートリッジ２０のカートリッジ本体７４Ｂと接触する。
【０１１５】
実施の形態７の磁気ヘッド昇降装置によれば、カートリッジの未挿入時に、昇降部２３Ｅによって押し上げられた磁気ヘッドユニット５５から固定板８Ｄに作用するＺ軸方向の力が、磁気ヘッドユニット５５を押し上げる昇降部２３Ｅを備えた昇降スライド部材２２Ｅから固定板８Ｄに作用する逆方向（マイナスＺ軸方向）の力によって相殺されるので、磁気ヘッドユニット５５から固定板に作用する力による固定板の浮き上がりおよび反り上がりが生じない。このため、磁気ヘッド昇降装置を一層薄型化できる。
【０１１６】
（実施の形態８）
図２２は実施の形態８における磁気ヘッド昇降装置１００Ｆのカートリッジ未挿入状態における斜視図であり、図２３は磁気ヘッド昇降装置１００Ｆの記録再生カートリッジを挿入した時の斜視図であり、図２４は磁気ヘッド昇降装置１００Ｆの再生専用カートリッジを挿入した時の斜視図である。図２５Ａは磁気ヘッド昇降装置１００Ｆの保護部材２５を説明するための断面図であり、図２５Ｂは他の保護部材２５Ａを説明するための断面図である。実施の形態１〜６で前述した構成要素と同一の構成要素には同一の参照符号を付し、詳細な説明は省略する。
【０１１７】
実施の形態８の磁気ヘッド昇降装置１００Ｆは、連動スライド部材２４Ａを備え、連動スライド部材２４Ａが、カートリッジの未挿入時に、固定板８Ｄに垂直な方向から見て、磁気ヘッドユニット５５に対して支持材６の固定部５と反対方向側に離れて配置される保護部材２５を有することを特徴とする。
【０１１８】
保護部材２５は、薄い板状形状をしており、接着、融着などの方法で連動スライド部材２４Ａに固着される。保護部材２５は、ステンレス、リン青銅などのばね材料、または液晶ポリマーやポリカーボネイトなどの樹脂からなる。
【０１１９】
図２５Ａに示すように、保護部材２５は、磁気ヘッドユニット５５に近い側を折り曲げてカートリッジホルダ１４側（Ｚ方向マイナス側）へ傾斜し、撓み弾性変形してカートリッジホルダ１４に付勢される折り曲げ部２６を有する。折り曲げ部２６は、カートリッジホルダ１４の開口１４Ａの縁に位置している。折り曲げ部２６は、再生専用カートリッジ２０が挿入されると磁気ヘッドユニット５５に接触する潤滑層を含んでもよい。なお図２５Ｂに示すように、カートリッジホルダ１４側（Ｚ方向マイナス側）へ湾曲し、撓み弾性変形してカートリッジホルダ１４に付勢される湾曲部２７を有する保護部材２５Ａを設けてもよい。
【０１２０】
次に磁気ヘッド昇降装置１００Ｆの動作を説明する。
【０１２１】
カートリッジの未挿入状態では、図２２、図２５Ａに示すように保護部材２５は連動スライド部材２４Ａからはみ出した折り曲げ部２６をカートリッジホルダ１４の開口１４Ａの縁へ載せている。
【０１２２】
図２３に示すように、記録再生カートリッジ１７を挿入すると、記録再生カートリッジ１７のシャッター７５Ａは、カートリッジホルダ１４の図示しない係合部と係合し、さらに記録再生カートリッジ１７を挿入すると、シャッター７５Ａがカートリッジ本体に対して摺動して磁気ヘッド穴１８がカートリッジホルダ１４の開口１４Ａ中に現れる。保護部材２５は連動スライド部材２４Ａと共に記録再生カートリッジ１７の挿入方向（Ｙ方向プラス側）へ移動する。保護部材２５の連動スライド部材２４Ａからはみ出した折り曲げ部２６は、弾性復元力により、カートリッジホルダ１４の開口１４Ａ中に現れた記録再生カートリッジ１７の磁気ヘッド穴１８に入り、磁気ヘッドユニット５５とは接触しない。
【０１２３】
図２４に示すように、再生専用カートリッジ２０を挿入すると、再生専用カートリッジ２０のカートリッジ本体７４Ｂの表面がカートリッジホルダ１４の開口１４Ａ中に現れる。保護部材２５は再生専用カートリッジ２０を挿入する方向（Ｙ方向プラス側）へ連動スライド部材２４Ａと共に移動する。保護部材２５の連動スライド部材２４Ａからはみ出した折り曲げ部２６は、弾性復元力によりカートリッジホルダ１４の開口１４Ａ内に入り、カートリッジホルダ１４の開口１４Ａ中に現れたカートリッジ本体７４Ｂの表面と磁気ヘッドユニット５５との間で磁気ヘッドユニット５５と接触する。
【０１２４】
磁気ヘッドユニット５５は、再生動作中も図示しない光学ヘッドと共にＸ軸方向に沿って移動するので、保護部材２５の磁気ヘッドユニット５５と接触摺動する面には摺動材又は潤滑剤を塗布する事が望ましい。磁気ヘッドユニット５５はＤＣモータでＸ軸方向に沿って移動するので、移動の為の消費電力を削減できる。
【０１２５】
以上のように実施の形態８の磁気ヘッド昇降装置によれば、連動スライド部材２４Ａに薄板状の保護部材２５を設け、連動スライド部材２４Ａと一体に移動可能とした事で、再生専用カートリッジ２０を挿入したときに、磁気ヘッドユニット５５と再生専用カートリッジ２０との接触摺動がなくなる。このため、磁気ヘッド昇降装置の信頼性が向上する。
【産業上の利用可能性】
【０１２６】
本発明は、磁気ヘッド昇降装置、特に、光磁気記録再生装置に設けられる磁気ヘッド昇降装置に適用することができる。
【図面の簡単な説明】
【０１２７】
【図１Ａ】実施の形態１における磁気ヘッド昇降装置の斜視図である。
【図１Ｂ】実施の形態１における磁気ヘッド昇降装置の固定板および、これに取り付けられた構成要素の斜視図である。
【図１Ｃ】実施の形態１における磁気ヘッド昇降装置の板ばね部に取り付けられた磁気ヘッドユニットの断面図である。
【図２】実施の形態１における磁気ヘッド昇降装置の磁気ヘッド素子が光磁気ディスクに近接又は接触して情報を記録又は再生する第１の位置にあるときの側面断面図である。
【図３】実施の形態１における磁気ヘッド素子が光磁気ディスクから遠ざかる第２の位置にあるときの側面断面図である。
【図４】実施の形態１における磁気ヘッド昇降装置のカートリッジホルダに、光磁気ディスクを収容した記録再生カートリッジを着脱するときの側面図である。
【図５】実施の形態２における磁気ヘッド昇降装置の斜視図である。
【図６】実施の形態２における磁気ヘッド昇降装置の要部斜視図である。
【図７】実施の形態３における磁気ヘッド昇降装置の一例の要部斜視図である。
【図８】実施の形態３における他の磁気ヘッド昇降装置の要部斜視図である。
【図９】実施の形態４における磁気ヘッド昇降装置の磁気ヘッドユニットが第１の位置にあるときの要部斜視図である。
【図１０】実施の形態４における磁気ヘッド昇降装置の磁気ヘッドユニットが第２の位置にあるときの要部側面図である。
【図１１】実施の形態５における磁気ヘッド昇降装置の要部斜視図である。
【図１２】実施の形態５における磁気ヘッド昇降装置の第２の位置（再生位置）での側面図である。
【図１３】実施の形態５における磁気ヘッド昇降装置の光磁気ディスクを着脱する位置での側面図である。
【図１４Ａ】実施の形態６における磁気ヘッド昇降装置の記録再生カートリッジ未挿入状態における斜視図である。
【図１４Ｂ】実施の形態６における磁気ヘッド昇降装置の固定板および、これに取り付けられた構成要素の部分斜視図である。
【図１５】実施の形態６における磁気ヘッド昇降装置の記録再生カートリッジを挿入する途中の斜視図である。
【図１６】実施の形態６における磁気ヘッド昇降装置の記録再生カートリッジを挿入した時の斜視図である。
【図１７】実施の形態６における磁気ヘッド昇降装置の再生専用カートリッジを挿入した時の斜視図である。
【図１８】実施の形態７における磁気ヘッド昇降装置のカートリッジ未挿入状態における斜視図である。
【図１９】実施の形態７における磁気ヘッド昇降装置の記録再生カートリッジを挿入した時の斜視図である。
【図２０】実施の形態７における磁気ヘッド昇降装置の再生専用カートリッジを挿入した時の斜視図である。
【図２１】実施の形態７における磁気ヘッド昇降装置の要部斜視図である。
【図２２】実施の形態８における磁気ヘッド昇降装置のカートリッジ未挿入状態における斜視図である。
【図２３】実施の形態８における磁気ヘッド昇降装置の記録再生カートリッジを挿入した時の斜視図である。
【図２４】実施の形態８における磁気ヘッド昇降装置の再生専用カートリッジを挿入した時の斜視図である。
【図２５Ａ】実施の形態８における磁気ヘッド昇降装置の保護部材を説明するための断面図である。
【図２５Ｂ】実施の形態８における磁気ヘッド昇降装置の他の保護部材を説明するための断面図である。
【図２６】従来の磁気ヘッド昇降装置の斜視図である。
【図２７】図２６に示した磁気ヘッド昇降装置の側面図である。
【図２８】図２６の磁気ヘッド昇降装置の光磁気ディスク未装填状態での側面断面図である。
【図２９】図２６の磁気ヘッド昇降装置の光磁気ディスク装填状態での側面断面図である。
【図３０】図２６の磁気ヘッド昇降装置の光磁気ディスクへの記録または再生状態での側面断面図である。
【図３１】図２６に示す磁気ヘッドユニットの構成を示す側面断面図である。
【図３２】従来の記録再生用光磁気ディスクのカートリッジの斜視図である。
【図３３Ａ】従来の記録再生用光磁気ディスクのカートリッジの上面図である。
【図３３Ｂ】従来の記録再生用光磁気ディスクのカートリッジの下面図である。
【図３４】従来の再生専用光磁気ディスクのカートリッジの斜視図である。
【図３５Ａ】従来の再生専用光磁気ディスクのカートリッジの上面図である。
【図３５Ｂ】従来の再生専用光磁気ディスクのカートリッジの下面図である。
【符号の説明】
【０１２８】
１  連結スライド部材
２  昇降部
３  板ばね部
４  取付部
５  固定部
６  支持材
７  磁気ヘッド素子
８  固定板
９  リフタ
１０  締結部材
１１  圧電素子
１２  側板
１３  対向板
１４  カートリッジホルダ
１５  光学ヘッド
１６  光磁気ディスク
１７  記録再生カートリッジ
１８  磁気ヘッド穴
１９  光学ヘッド穴
２０  再生専用カートリッジ
２１  光学ヘッド穴
２２  昇降スライド部材
２３  昇降部
２４  連動スライド部材
２５  保護部材
２６  折り曲げ部
２７  湾曲部
【図１Ａ】
2005222672.tif 000003
【図１Ｂ】
2005222672.tif 000004
【図１Ｃ】
2005222672.tif 000005
【図２】
2005222672.tif 000006
【図３】
2005222672.tif 000007
【図４】
2005222672.tif 000008
【図５】
2005222672.tif 000009
【図６】
2005222672.tif 000010
【図７】
2005222672.tif 000011
【図８】
2005222672.tif 000012
【図９】
2005222672.tif 000013
【図１０】
2005222672.tif 000014
【図１１】
2005222672.tif 000015
【図１２】
2005222672.tif 000016
【図１３】
2005222672.tif 000017
【図１４Ａ】
2005222672.tif 000018
【図１４Ｂ】
2005222672.tif 000019
【図１５】
2005222672.tif 000020
【図１６】
2005222672.tif 000021
【図１７】
2005222672.tif 000022
【図１８】
2005222672.tif 000023
【図１９】
2005222672.tif 000024
【図２０】
2005222672.tif 000025
【図２１】
2005222672.tif 000026
【図２２】
2005222672.tif 000027
【図２３】
2005222672.tif 000028
【図２４】
2005222672.tif 000029
【図２５Ａ】
2005222672.tif 000030
【図２５Ｂ】
2005222672.tif 000031
【図２６】
2005222672.tif 000032
【図２７】
2005222672.tif 000033
【図２８】
2005222672.tif 000034
【図２９】
2005222672.tif 000035
【図３０】
2005222672.tif 000036
【図３１】
2005222672.tif 000037
【図３２】
2005222672.tif 000038
【図３３Ａ】
2005222672.tif 000039
【図３３Ｂ】
2005222672.tif 000040
【図３４】
2005222672.tif 000041
【図３５Ａ】
2005222672.tif 000042
【図３５Ｂ】
2005222672.tif 000043